(57)【要約】【課題】洗浄工程の初期段階で特殊な組成の洗浄剤溶液を自動食器洗浄機内に供給することができ、その後、通常の組成の洗浄剤溶液を自動食器洗浄機に供給することができるカートリッジ洗浄剤を提供すること。【解決手段】内容物の供給口部を有する水不溶性の容器を、上記供給口部を下向きに設置し、上記供給口部へ水が噴射されて内容物を溶かしながら供給する方式の自動食器洗浄機用のカートリッジ洗浄剤であって、上記容器は、容器本体と中蓋体と外蓋体とからなり、上記内容物は、所定形状に成形された固形体、粒状体又は粉状体からなる洗浄剤組成物と、所定形状に成形された固形体、粒状体又は粉状体からなる洗浄性強化剤とからなり、上記容器本体には、上記洗浄剤組成物が収容されており、上記中蓋体には、上記洗浄性強化剤が収容されており、上記容器本体と上記中蓋体との間には、上記洗浄剤組成物又は上記洗浄性強化剤の移動を防止する仕切りが設けられていることを特徴とする。【選択図】図１
2017008267.tif 000002
【特許請求の範囲】
【請求項１】
内容物の供給口部を有する水不溶性の容器を、前記供給口部を下向きに設置し、前記供給口部へ水が噴射されて内容物を溶かしながら供給する方式の自動食器洗浄機用のカートリッジ洗浄剤であって、
前記容器は、容器本体と中蓋体と外蓋体とからなり、
前記内容物は、所定形状に成形された固形体、粒状体又は粉状体からなる洗浄剤組成物と、所定形状に成形された固形体、粒状体又は粉状体からなる洗浄性強化剤とからなり、
前記容器本体には、前記洗浄剤組成物が収容されており、
前記中蓋体には、前記洗浄性強化剤が収容されており、前記容器本体と前記中蓋体との間には、前記洗浄剤組成物又は前記洗浄性強化剤の移動を防止する仕切りが設けられていることを特徴とするカートリッジ洗浄剤。
【請求項２】
前記中蓋体は、噴射水を通過させるための貫通孔が形成されるとともに、前記洗浄性強化剤を載置するための載置部を備え、前記戴置部には、洗浄液を容器外へ排水する開口部が形成されるとともに、前記洗浄性強化剤を前記中蓋体の内部に保持するための前記載置部を覆うカバー部を備えており、
前記外蓋体は、使用時まで容器内外の空間を遮断し、使用時に取り外すように構成され、フィルム状部材又は硬質部材からなる請求項１に記載のカートリッジ洗浄剤。
【請求項３】
前記中蓋体には、前記洗浄性強化剤の移動を規制するための区画部材が設けられている請求項１又は２に記載のカートリッジ洗浄剤。
【請求項４】
前記洗浄剤組成物と前記洗浄性強化剤との合計量に対する前記洗浄性強化剤の割合は、
０．１〜３０質量％である請求項１〜３のいずれかに記載のカートリッジ洗浄剤。
【請求項５】
前記洗浄性強化剤は、酵素、キレート剤、酸素系漂白剤、漂白活性化剤、除菌剤、ペルオキソ一硫酸水素カリウム製剤、高分子分散剤、及び、界面活性剤からなる群から選択された少なくとも一種の化合物を含有する請求項１〜４のいずれかに記載のカートリッジ洗浄剤。
【請求項６】
前記洗浄剤組成物を構成する洗浄成分は、界面活性剤、アルカリ金属水酸化物、炭酸塩、ケイ酸アルカリ金属塩、水溶性ポリマー及びキレート剤からなる群から選択された少なくとも一種を含有する請求項１〜５のいずれかに記載のカートリッジ洗浄剤。
【請求項７】
前記洗浄剤組成物と前記洗浄性強化剤には同じ成分が含まれている請求項１〜６のいずれかに記載のカートリッジ洗浄剤。
【発明の詳細な説明】
【技術分野】
【０００１】
本発明は、カートリッジ洗浄剤に関する。
【背景技術】
【０００２】
近年、人手不足、衛生管理等の観点から、ホテル又はレストラン等においては、自動食器洗浄機が用いられている。従来から、このような自動食器洗浄機において使用される洗浄剤組成物には、洗浄、漂白、殺菌等の様々な機能を発揮させるために様々な成分が含まれている。
【０００３】
自動食器洗浄機に使用する洗浄剤組成物は、カートリッジ洗浄剤の形で使用されることが多い。
特許文献１、２にはカートリッジ洗浄剤の例が記載されている。
カートリッジ洗浄剤を用いて、食器等を洗浄する際には、供給口部を下向きにして自動食器洗浄機の洗浄剤固定部に固定する。
そして、噴射器より噴射された水が供給口部からカートリッジ内に入り、カートリッジ内の洗浄剤組成物を溶かして、洗浄剤組成物を含む洗浄剤溶液が供給口部から自動食器洗浄機に供給される。
【先行技術文献】
【特許文献】
【０００４】
【特許文献１】特公昭５９−００４４８０号公報
【特許文献２】特表平０４−５０４２７１号公報
【発明の概要】
【発明が解決しようとする課題】
【０００５】
特許文献１、２に記載されたような従来のカートリッジ洗浄剤では、カートリッジ内に収容された洗浄剤組成物の組成は均一であり、洗浄工程の初期段階から最終段階にわたって、同じ組成の洗浄剤組成物が自動食器洗浄機に供給される。
【０００６】
カートリッジ洗浄剤を自動食器洗浄機による洗浄工程に用いる際に、洗浄工程の一部で、特殊な組成の洗浄剤溶液が自動食器洗浄機に供給されるようにして、その後、通常の組成の洗浄剤溶液が自動食器洗浄機に供給されるようにするという工程が求められることがある。
例えば、自動食器洗浄機の壁面に付着した微生物を除菌し、増殖を抑えることを目的として、除菌剤として機能する成分を洗浄工程の初期段階で供給することが要求されることがある。
また、自動食器洗浄機の壁面に付着したスケールを除去することを目的として、キレート剤を洗浄工程の初期段階で供給することが要求されることがある。
【０００７】
従来のカートリッジ洗浄剤では、このような、洗浄工程の一部のみで特殊な組成の洗浄剤溶液を供給することが必要とされる用途には対応できておらず、洗浄工程の一部で、別途作業者が必要な成分を手で投入するといった作業を必要としており、自動食器洗浄機を用いた自動洗浄という本来的には手間のかからない工程の趣旨に反する操作が行われていた。
【０００８】
本発明は、このような問題を解決するためになされたものであり、洗浄工程の初期段階で特殊な組成の洗浄剤溶液を自動食器洗浄機内に供給することができ、その後、通常の組成の洗浄剤溶液を自動食器洗浄機に供給することができるカートリッジ洗浄剤を提供することを目的とする。
【課題を解決するための手段】
【０００９】
上記目的を達成するため、本発明のカートリッジ洗浄剤は、内容物の供給口部を有する水不溶性の容器を、上記供給口部を下向きに設置し、上記供給口部へ水が噴射されて内容物を溶かしながら供給する方式の自動食器洗浄機用のカートリッジ洗浄剤であって、上記容器は、容器本体と中蓋体と外蓋体とからなり、上記内容物は、所定形状に成形された固形体、粒状体又は粉状体からなる洗浄剤組成物と、所定形状に成形された固形体、粒状体又は粉状体からなる洗浄性強化剤とからなり、上記容器本体には、上記洗浄剤組成物が収容されており、上記中蓋体には、上記洗浄性強化剤が収容されており、上記容器本体と上記中蓋体との間には、上記洗浄剤組成物又は上記洗浄性強化剤の移動を防止する仕切りが設けられていることを特徴とする。
【００１０】
なお、本発明における固形体とは、洗浄剤組成物においては、直径５ｃｍ以上の球状又はそれと同等の体積のものを８０質量％以上含むものをいい、洗浄性強化剤においては直径５ｍｍ以上の球状又はそれと同等の体積のものを８０質量％以上含むものをいう。また、粒状体とは、上記した固形体の条件に該当せず、直径０．１ｍｍ以上の球状又はそれと同等の体積のものを８０質量％以上含むものをいい、粉状体とは、直径０．１ｍｍ以上の球状又はそれと同等の体積のものが８０質量％未満であるものをいう。
本発明における洗浄剤組成物、洗浄性強化剤の剤形は、いずれも、粉状体よりも粒状体が好ましく、粒状体よりも固形体がより好ましい。固形体であると洗浄剤組成物と洗浄性強化剤の分離が最も容易に達成される。
【００１１】
本発明のカートリッジ洗浄剤では、容器本体には洗浄剤組成物が収容され、中蓋体には洗浄性強化剤が収容されている。本発明のカートリッジ洗浄剤内に水を噴射すると、水は容器本体内の洗浄剤組成物を溶かし、洗浄剤組成物が溶解した溶液が中蓋体に入り、中蓋体内の洗浄性強化剤を溶かして、洗浄剤組成物と洗浄性強化剤が共に含まれた特殊な組成の洗浄剤溶液が自動食器洗浄機内に供給されることになる。
【００１２】
カートリッジ洗浄剤内に水を噴射していき、中蓋体内の洗浄性強化剤が全て消費されると、以後は洗浄剤組成物のみが含まれた通常の組成の洗浄剤溶液が自動食器洗浄機内に供給されることになる。
すなわち、本発明のカートリッジ洗浄剤を使用すると、カートリッジ洗浄剤を自動食器洗浄機に設置した後、洗浄工程の初期段階で洗浄剤組成物と洗浄性強化剤が共に含まれた特殊な組成の洗浄剤溶液を自動食器洗浄機内に供給することができ、初期段階以後は通常の組成の洗浄剤溶液を自動食器洗浄機内に供給することができる。
洗浄剤溶液の組成が切り替わる過程で特別な操作が必要なわけではないため、余計な手間をかけることなく、洗浄工程の初期段階で洗浄剤組成物と洗浄性強化剤が共に含まれた特殊な組成の洗浄剤溶液を自動食器洗浄機内に供給することができる。
【００１３】
このような特性を発揮させるためには、カートリッジ洗浄剤内に水を噴射していった際に、中蓋体内の洗浄性強化剤が先に全て消費されるように、カートリッジ洗浄剤の中蓋体内に収容させる洗浄性強化剤の量、及び、洗浄性強化剤の水への溶解性を調整しておくことが好ましい。
【００１４】
本発明のカートリッジ洗浄剤では、上記中蓋体は、噴射水を通過させるための貫通孔が形成されるとともに、上記洗浄性強化剤を載置するための載置部を備え、上記戴置部には、洗浄液を容器外へ排水する開口部が形成されるとともに、上記洗浄性強化剤を上記中蓋体の内部に保持するための上記載置部を覆うカバー部を備えており、上記外蓋体は、使用時まで容器内外の空間を遮断し、使用時に取り外すように構成され、フィルム状部材又は硬質部材からなることが望ましい。
【００１５】
本発明のカートリッジ洗浄剤では、内容物を空間的に遮断する部材が必要であるとともに、噴射水を通過させ、洗浄剤組成物及び洗浄性強化剤と接触した洗浄液を容器外に排出するための部材も必要となる。そのため、本発明のカートリッジ洗浄剤では、噴射水を通過させるための貫通孔及び洗浄液を容器外へ排水する開口部が形成された中蓋体と使用時まで容器内外の空間を遮断する外蓋体とが設けられている。
上記中蓋体は、容器本体に固定されていても良いし、脱着可能でも良い。また、上記貫通孔は、大きい１つの貫通孔であってもよく、小さい複数の貫通孔が形成されていてもよい。必要であれば内容物が取り付けの際こぼれないよう、水溶性のフィルムを貼りつけてもよい。
【００１６】
本発明のカートリッジ洗浄剤において、上記中蓋体には、上記洗浄性強化剤の移動を規制するための区画部材が設けられていることが望ましい。
区画部材により洗浄性強化剤の移動を規制することにより、各洗浄性強化剤を均一に溶解させることができる。
【００１７】
本発明のカートリッジ洗浄剤において、上記洗浄剤組成物と上記洗浄性強化剤との合計量に対する上記洗浄性強化剤の割合は、０．１〜３０質量％であることが望ましく、０．５〜１０質量％であることがより望ましい。
洗浄性強化剤の量が上記範囲であると、洗浄剤組成物に対する量が少ないために早い段階で洗浄性強化剤が消費される。すなわち、洗浄工程におけるかなり初期段階のみにおいて洗浄性強化剤を自動食器洗浄機内に供給することができる。
【００１８】
本発明のカートリッジ洗浄剤において、上記洗浄性強化剤は、酵素、キレート剤、酸素系漂白剤、漂白活性化剤、除菌剤、ペルオキソ一硫酸水素カリウム製剤、高分子分散剤、及び、界面活性剤からなる群から選択された少なくとも一種の化合物を含有することが望ましい。
これらの化合物は、洗浄性強化剤として、洗浄工程の初期段階で使用するとそれぞれ固有の効果が得られるため、本発明のカートリッジ洗浄剤における洗浄性強化剤として適している。各化合物を使用した場合に得られる固有の効果については後で詳しく説明する。
【００１９】
本発明のカートリッジ洗浄剤において、上記洗浄剤組成物を構成する洗浄成分は、界面活性剤、アルカリ金属水酸化物、炭酸塩、ケイ酸アルカリ金属塩、水溶性ポリマー及びキレート剤からなる群から選択された少なくとも一種を含有することが望ましい。
洗浄剤組成物が上記のような成分からなると、自動食器洗浄機用のカートリッジ洗浄剤として充分な洗浄力が得られる。
【００２０】
本発明のカートリッジ洗浄剤においては、上記洗浄剤組成物と上記洗浄性強化剤には同じ成分が含まれていることが望ましい。
同じ成分が含まれている場合、洗浄工程の初期段階ではその成分の濃度を高くして、初期段階終了後にはその成分の濃度を初期段階よりも低くして洗浄を行うことができる。そのような濃度変化をつけることが有効な洗浄対象物に対しては、本発明のカートリッジ洗浄剤は特に好適に使用できる。
【発明の効果】
【００２１】
本発明のカートリッジ洗浄剤では、洗浄工程の初期段階で特殊な組成の洗浄剤溶液を自動食器洗浄機内に供給し、その後、通常の組成の洗浄剤溶液を自動食器洗浄機に供給することができる。
【図面の簡単な説明】
【００２２】
【図１】図１は、本発明のカートリッジ洗浄剤を構成する容器の一実施例を模式的に示す説明図である。
【図２】図２は、本発明のカートリッジ洗浄剤を構成する中蓋体の一実施例を模式的に示す概念図である。
【図３】図３は、本発明のカートリッジ洗浄剤の一実施例を模式的に示す概念図である。
【図４】図４は、本発明のカートリッジ洗浄剤の別の実施例を模式的に示す概念図である。
【図５】図５は、本発明のカートリッジ洗浄剤のさらに別の実施例を模式的に示す概念図である。
【図６】図６は、本発明のカートリッジ洗浄剤のさらに別の実施例を模式的に示す概念図である。
【図７】図７（ａ）は、本発明のカートリッジ洗浄剤を構成する中蓋体の別の実施例を模式的に示す概念図であり、図７（ｂ）は、図７（ａ）に示す中蓋体に固形体の洗浄性強化剤を収容した状態を模式的に示す概念図であり、図７（ｃ）は、図７（ａ）に示す中蓋体の裏面に外蓋体としてのフィルム部材を接着した状態を模式的に示す概念図である。
【図８】図８は、本発明のカートリッジ洗浄剤のさらに別の実施例を模式的に示す概念図である。
【図９】図９（ａ）〜（ｃ）は、本発明のカートリッジ洗浄剤に水を噴射した際に得られる洗浄剤溶液を模式的に示す断面図である。
【発明を実施するための形態】
【００２３】
以下、本発明の実施形態について具体的に説明する。しかしながら、本発明は、以下の実施形態に限定されるものではなく、本発明の要旨を変更しない範囲において適宜変更して適用することができる。
【００２４】
本発明のカートリッジ洗浄剤は、内容物の供給口部を有する水不溶性の容器を、上記供給口部を下向きに設置し、上記供給口部へ水が噴射されて内容物を溶かしながら供給する方式の自動食器洗浄機用のカートリッジ洗浄剤であって、上記容器は、容器本体と中蓋体と外蓋体とからなり、上記内容物は、所定形状に成形された固形体、粒状体又は粉状体からなる洗浄剤組成物と、所定形状に成形された固形体、粒状体又は粉状体からなる洗浄性強化剤とからなり、上記容器本体には、上記洗浄剤組成物が収容されており、上記中蓋体には、上記洗浄性強化剤が収容されており、上記容器本体と上記中蓋体との間には、上記洗浄剤組成物又は上記洗浄性強化剤の移動を防止する仕切りが設けられていることを特徴とする。
【００２５】
本発明のカートリッジ洗浄剤は、従来の技術でも記載したように、ホテル又はレストラン等で用いられている自動食器洗浄機用のカートリッジ洗浄剤である。
本発明のカートリッジ洗浄剤では、洗浄剤組成物は容器本体に収容されており、洗浄性強化剤は中蓋体に収容されており、上記容器本体と上記中蓋体との間には、上記洗浄剤組成物又は洗浄性強化剤の移動を防止する仕切りが設けられているが、その実施形態として次のものが考えられる。
【００２６】
以下、本発明のカートリッジ洗浄剤の実施形態について説明する。
本発明のカートリッジ洗浄剤では、中蓋体に洗浄性強化剤が収容されている。洗浄性強化剤は、洗浄工程の初期段階において供給されることによって効果を発揮する成分である。
洗浄性強化剤に含まれる成分の例としては、酵素、キレート剤、酸素系漂白剤、漂白活性化剤、ペルオキソ一硫酸水素カリウム製剤、高分子分散剤、及び、界面活性剤が挙げられる。
以下、各洗浄性強化剤のさらなる具体例及び各洗浄性強化剤を使用することにより得られる効果について説明する。
【００２７】
洗浄性強化剤に含まれる成分が酵素である場合、酵素の例としては、アミラーゼ、リパーゼ、プロテアーゼ等が好ましい。これらの酵素のうち１種を用いてもよく、２種以上を併用してもよい。
洗浄性強化剤として酵素を使用すると、洗浄工程の初期段階において、自動食器洗浄機の内面に付着した有機物を分解除去することができる。また、洗浄工程の初期段階で洗浄剤溶液中の有機物を分解することができる。さらに、洗浄剤溶液の洗浄力をさらに高め、洗浄工程の初期段階で有機物汚れを食器から取り除くことができる。
【００２８】
洗浄性強化剤に含まれる成分がキレート剤である場合、キレート剤の例としては、エチレンジアミンテトラ酢酸（ＥＤＴＡ）、ヒドロキシエチルエチレンジアミントリ酢酸（ＨＥＤＴＡ）、ニトリロトリ酢酸（ＮＴＡ）、ジエチレントリアミンペンタ酢酸（ＤＴＰＡ）、２−ホスホノブタン−１，２，４−トリカルボン酸、エチレンジアミンコハク酸（ＥＤＤＳ）、ヒドロキシエチルイミノ二酢酸（ＨＩＤＡ）、グルタミン酸二酢酸（ＧＬＤＡ）、メチルグリシン二酢酸（ＭＧＤＡ）、アスパラギン酸二酢酸（ＡＳＤＡ）、トリポリリン酸、クエン酸、リンゴ酸、グルコン酸及びこれらの塩（ナトリウム塩、カリウム塩等）等が好ましい。これらのキレート剤のうち１種を用いてもよく、２種以上を併用してもよい。
洗浄性強化剤としてキレート剤を使用すると、洗浄工程の初期段階において、自動食器洗浄機の内面に付着したスケールを除去することができる。また、洗浄剤溶液の洗浄力をさらに高め、洗浄工程の初期段階でミネラル汚れや乳成分汚れ、口紅汚れを食器から取り除くことができる。
【００２９】
洗浄性強化剤に含まれる成分が酸素系漂白剤である場合、酸素系漂白剤の例としては、過炭酸ナトリウムが挙げられる。
洗浄性強化剤として酸素系漂白剤を使用すると、洗浄工程の初期段階において、自動食器洗浄機の内面に付着した有機物を分解除去することができる。また、洗浄剤溶液の洗浄力をさらに高め、洗浄工程の初期段階で色素汚れ、有機物汚れを食器から取り除くことができる。
【００３０】
洗浄性強化剤に含まれる成分が漂白活性化剤である場合、漂白活性化剤の例としては、テトラアセチルエチレンジアミン（ＴＡＥＤ）が挙げられる。
酸素系漂白剤を含む洗浄剤と組み合わせて洗浄性強化剤として漂白活性化剤を使用すると、洗浄工程の初期段階において、自動食器洗浄機の内面に付着した有機物を分解除去することができる。また、洗浄剤溶液の洗浄力をさらに高め、洗浄工程の初期段階で色素汚れ、有機物汚れを食器から取り除くことができる。
【００３１】
洗浄性強化剤に含まれる成分が除菌剤である場合、除菌剤の例としては、アルキルイミダゾリン、ビグアナイド誘導体（ポリヘキサメチレンビグアナイド塩酸塩等）、カチオン界面活性剤（アルキルトリメチルアンモニウム塩、ジアルキルジメチルアンモニウム塩、アルキルジメチル塩化ベンザルコニウム。塩はハロゲン化物、とくに塩化物、臭化物が好ましい）、アルキルポリアミノエチルグリシン塩酸塩、アルキルジアミノエチルグリシン塩酸塩、アルキルジアミノエチルグリシンナトリウム、ベンズイソチアゾロン、２−（チオシアノメチルチオ）ベンズチアゾール、パラベン等が挙げられる。これらの除菌剤のうち１種を用いてもよく、２種以上を併用してもよい。
洗浄性強化剤として除菌剤を使用すると、洗浄工程の初期段階において、自動食器洗浄機の内面に付着した微生物を除菌し、増殖を抑えることができる。また、洗浄工程の初期段階において洗浄剤溶液中の微生物を除菌し、増殖を抑えることができる。
【００３２】
ペルオキソ一硫酸水素カリウム製剤は、ペルオキソ一硫酸水素カリウムと塩化ナトリウムの混合物であり、水があるとペルオキソ一硫酸水素カリウムと塩化ナトリウムが反応して次亜塩素酸を発生し、次亜塩素酸による殺菌、漂白作用が発揮される。
本発明のカートリッジ洗浄剤において洗浄性強化剤に含まれる成分がペルオキソ一硫酸水素カリウム製剤である場合は、２通りの態様がある。
ペルオキソ一硫酸水素カリウムと塩化ナトリウムが共に中蓋体内に収容されていてもよいし、ペルオキソ一硫酸水素カリウムが中蓋体に収容され、塩化ナトリウムが容器本体内で洗浄剤組成物と共に収容されていてもよい。いずれの態様でも、カートリッジ洗浄剤に噴射水が噴射されるとペルオキソ一硫酸水素カリウムと塩化ナトリウムが混合された水溶液が生成し、ペルオキソ一硫酸水素カリウムと塩化ナトリウムが反応して次亜塩素酸を発生し、次亜塩素酸による殺菌、漂白作用が発揮される。
本発明のカートリッジ洗浄剤では洗浄工程の初期段階でペルオキソ一硫酸水素カリウムと塩化ナトリウムが反応して次亜塩素酸を発生するが、初期段階以後はこの反応が生じなくなることを想定している。そのため、カートリッジ洗浄剤内にはペルオキソ一硫酸水素カリウムと塩化ナトリウムが当量で含まれていることが望ましいが、ペルオキソ一硫酸水素カリウムが中蓋体に収容され、塩化ナトリウムが容器本体内で洗浄剤組成物と共に収容されている場合には、中蓋体内のペルオキソ一硫酸水素カリウムが先に消費され、塩化ナトリウムが余る形になる。そのため、ペルオキソ一硫酸水素カリウムと塩化ナトリウムが共に中蓋体内に収容されている形態の方が望ましい。
洗浄性強化剤としてペルオキソ一硫酸水素カリウム製剤を使用すると、洗浄工程の初期段階において、自動食器洗浄機の内面に付着した有機物を分解除去することができる。また、洗浄剤溶液の洗浄力をさらに高め、洗浄工程の初期段階において色素汚れ、有機物汚れを食器から取り除くことができる。
【００３３】
洗浄性強化剤に含まれる成分が高分子分散剤である場合、高分子分散剤の例としては、ポリアクリル酸、ポリアコニット酸、ポリイタコン酸、ポリシトラコン酸、ポリフマル酸、ポリマレイン酸、ポリメタコン酸、ポリ−α−ヒドロキシアクリル酸、ポリビニルホスホン酸、スルホン化ポリマレイン酸、無水マレイン酸ジイソブチレン共重合体、無水マレイン酸スチレン共重合体、無水マレイン酸メチルビニルエーテル共重合体、無水マレイン酸エチレン共重合体、無水マレイン酸エチレンクロスリンク共重合体、無水マレイン酸アクリル酸共重合体、無水マレイン酸酢酸ビニル共重合体、無水マレイン酸アクリロニトリル共重合体、無水マレイン酸アクリル酸エステル共重合体、無水マレイン酸ブタジエン共重合体、無水マレイン酸イソプレン共重合体、無水マレイン酸と一酸化炭素から誘導されるポリ−β−ケトカルボン酸、イタコン酸、エチレン共重合体、イタコン酸アコニット酸共重合体、イタコン酸マレイン酸共重合体、イタコン酸アクリル酸共重合体、マロン酸メチレン共重合体、イタコン酸フマール酸共重合体、エチレングリコールエチレンテレフタレート共重合体、ビニルピロリドン酢酸ビニル共重合体、これらの金属塩等があげられる。これらの高分子分散剤のうち１種を用いてもよく、２種以上を併用してもよい。
洗浄性強化剤として高分子分散剤を使用すると、洗浄工程の初期段階において、自動食器洗浄機の内面にスケールが生じるのを抑制することができる。また、洗浄工程の初期段階において洗浄剤溶液の洗浄力をさらに高め、微粒子汚れを食器から取り除くことができる。さらに、洗浄工程の初期段階において汚れを洗浄剤溶液中にとりこみやすくし、洗浄剤溶液中に移行した汚れが食器に再付着するのを防ぐことができる。
【００３４】
洗浄性強化剤に含まれる成分が界面活性剤である場合、界面活性剤の例としては、非イオン性界面活性剤、アニオン性界面活性剤が好ましく用いられるが、両性界面活性剤を用いてもよい。
非イオン性界面活性剤としては、例えば、ポリオキシアルキレンアルキルエーテル、プルロニック型ブロックポリマー、リバースプルロニック型ブロックポリマー、テトロニック型ブロックポリマー、リバーステトロニック型ブロックポリマー、ポリオキシアルキレンアルキルフェニルエーテル、脂肪酸アルカノールアミド、ポリオキシアルキレン脂肪酸アルカノールアミド、ポリオキシアルキレン脂肪酸エステル、ポリオキシアルキレンソルビタン脂肪酸エステル、ポリグリセリン脂肪酸エステル、ソルビタン脂肪酸エステル、ショ糖脂肪酸エステル、アルキルポリグリコシド、ポリオキシエチレンメチルエーテル脂肪酸エステル、及び、ポリオキシアルキレンアルキルアミンからなる群から選択される１又は２以上の非イオン性界面活性剤を挙げることができる。
アニオン性界面活性剤としては、脂肪酸塩、アルキルエーテルカルボン酸塩、アルカンスルホン酸塩、α−オレフィンスルホン酸塩、α−スルホメチルエステル塩、アルキルベンゼンスルホン酸塩、アルキルコハク酸塩、アルキル硫酸エステル塩、アルキルエーテル硫酸エステル塩等が挙げられる。
両性界面活性剤としては、アルキルアミノベタイン、アルキルアミドベタイン、アルキルアミノスルホベタイン等が挙げられる。
これらの界面活性剤のうち１種を用いてもよく、２種以上を併用してもよい。
洗浄性強化剤として界面活性剤を使用すると、洗浄工程の初期段階において、自動食器洗浄機の内面に付着した汚れを除去することができる。また、洗浄工程の初期段階において洗浄剤溶液の洗浄力をさらに高め、微粒子汚れや油脂汚れを食器から取り除くことができる。
【００３５】
本発明のカートリッジ洗浄剤において、容器本体に収容される洗浄剤組成物を構成する洗浄成分としては、界面活性剤、アルカリ金属水酸化物、炭酸塩、ケイ酸アルカリ金属塩、水溶性ポリマー及びキレート剤からなる群から選択された少なくとも一種を含有していることが望ましい。
また、洗浄剤組成物中に、洗浄性強化剤に含まれる成分の例として挙げた、酵素、キレート剤、酸素系漂白剤、漂白活性化剤、ペルオキソ一硫酸水素カリウム製剤、高分子分散剤、及び、界面活性剤が含まれていてもよい。
【００３６】
本発明のカートリッジ洗浄剤を構成する洗浄剤組成物に含まれる界面活性剤としては、非イオン系界面活性剤、アニオン界面活性剤が好ましく用いられるが、両性界面活性剤を用いてもよい。具体的には、洗浄性強化剤として使用可能なものとして挙げた界面活性剤を使用することができる。
【００３７】
本発明のカートリッジ洗浄剤を構成する洗浄剤組成物に含まれるアルカリ金属水酸化物としては、例えば、水酸化ナトリウム、水酸化カリウム等が挙げられ、炭酸塩としては、例えば、炭酸ナトリウム、炭酸カリウム、炭酸水素ナトリウム、炭酸水素カリウム等が挙げられ、ケイ酸アルカリ金属塩としては、例えば、オルソケイ酸ナトリウム、メタケイ酸ナトリウム、メタケイ酸ナトリウムの５水塩又は９水塩等が挙げられ、キレート剤としては、例えば、アミノカルボン酸塩（メチルグリシン二酢酸塩、グルタミン酸二酢酸塩、ニトリロ三酢酸塩、エチレンジアミン四酢酸塩）、有機酸（クエン酸、リンゴ酸、グルコン酸）等が挙げられる。塩としてのキレート剤は、ナトリウム塩、カリウム塩が好ましい。水溶性ポリマーとしては、たとえばアクリル酸、メタクリル酸またはマレイン酸の単独あるいはコポリマー、さらにはそれらとオレフィンとのポリマー、さらに側鎖にスルホン基を有するものといったものが挙げられる。それらが塩である場合は、ナトリウム塩、カリウム塩、エタノールアミン塩が特に好適に用いられる。
【００３８】
これら界面活性剤、アルカリ金属水酸化物、炭酸塩、ケイ酸アルカリ金属塩、水溶性ポリマー、キレート剤は、それぞれ単独で使用してもよく、２種以上を併用してもよい。
キレート剤としてのリン酸塩は、配合しないか少量にとどめ、上記非リン酸塩系のキレート剤を主とすることで環境負荷の低減を図ることが望ましい。
【００３９】
本発明のカートリッジ洗浄剤において、洗浄剤組成物は、所定形状に成形された固形体、粒状体又は粉状体からなり、洗浄性強化剤は、所定形状に成形された固形体、粒状体又は粉状体からなり、上記中蓋体に上記洗浄性強化剤が収容されるとともに、上記容器本体に上記洗浄剤組成物が収容されている。
【００４０】
図１は、本発明の実施形態に係るカートリッジ洗浄剤を構成する容器の一実施例を模式的に示す説明図である。図２は、図１に示すカートリッジ洗浄剤を構成する中蓋体の一実施例を模式的に示す概念図である。
【００４１】
図１に示したように、本実施形態に係るカートリッジ洗浄剤１０を構成する容器は、容器本体１１と中蓋体１２と外蓋体１３とからなる。
容器本体１１は、円筒容器の下部が次第に縮径していく、所謂、ロート形状となっており、最下部の径の小さい筒部材１１ａには、中蓋体１２をねじ込むためのねじ１１０ａが形成されている。図示はしていないが、本発明では、筒部材１１ａは、ねじ込みでなく爪構造によるはめ込み式で中蓋体を固定するようになっていてもよい。
【００４２】
中蓋体１２は、有底円筒形状であり、底部１２ｂには、噴射水を通過させるための円筒部材１２ｄと、洗浄剤組成物２０及び洗浄性強化剤２１(図３参照）が溶解した洗浄剤溶液を通過させるための開口部１２ａが２個設けられており、中蓋体１２の円筒部分１２ｃの内壁には、容器本体１１の筒部材１１ａにねじ込むためのねじ１２０ａが設けられている。
開口部１２ａ及び底部１２ｂを含む、洗浄性強化剤を載置するための部分が中蓋体１２における載置部である。
なお、図２には開口部１２ａは２個示しているが、開口部１２ａの数は１個ないし２個以上であってもよい。
中蓋体１２は、筒部材１１ａに嵌め込むことにより固定されればよいので、容器本体１１の筒部材１１ａや中蓋体１２にねじ１１０ａやねじ１２０ａが設けられていなくてもよい。その場合には、中蓋体１２に爪部を形成し、筒部材１１ａの方に爪の受け構造が形成されていれば中蓋体１２を嵌め込んだ後、固定することができる。
【００４３】
また、この中蓋体１２は、さらに内筒１２ｅが設けられており、内筒１２ｅの内部に洗浄性強化剤２１を収容できるように構成されており、洗浄性強化剤２１を内筒１２ｅの内部に収容した状態で保持するために円環形状のカバー部１４が設けられている。
中蓋体１２を構成するカバー部１４は、円筒部材１２ｄと重なる部分を除いて、水が通過することができるように網状または板状で開口部を有する部材１４ａにより構成されており、縁部には、網状または板状で開口部を有する部材１４ａを支持、固定するための支持部材１４ｂが配設されている。そして、図示はしていないが、中蓋体１２の内部に洗浄性強化剤２１が収容された状態で、支持部材１４ｂが内筒１２ｅの上面周囲に接着剤を介して貼り付けられるか、爪状の構造などで固定され、中蓋体１２の内部（内筒１２ｅの内部）に洗浄性強化剤２１が保持され、上部に存在する洗浄剤組成物２０と分離状態とすることができる。
【００４４】
なお、中蓋体は洗浄性強化剤が保持され、噴射水が通過する構造となっていれば、上記構造に限定されない。従って、カバー部１４に円筒部材１２ｄや内筒１２ｅが結合していてもよく、円筒部材１２ｄや内筒１２ｅが他の部材から独立した部材であってもよく、内筒１２ｅが無い構造でもよい。
また、洗浄性強化剤が粒状体、固形体である場合には、カバー部１４は、それに対応した洗浄性強化剤が漏れない程度の粗さの網状体であればよく、洗浄性強化剤が漏れなければ、円筒部材１２ｄや内筒１２ｅに、スリットが形成されていてもよく、メッシュ状であってもよく、適度の間隔でフレームが形成されたものであってもよい。また、内筒１２ｅの代わりに棒状のものが設けられていてもよい。
また、容器本体と中蓋体と外蓋体は、２つ以上の部材が一体成形されたものであってもよい。具体的には、例えば、中蓋とカバー部、中蓋と外蓋部をヒンジで結合した構造であってもよい。
【００４５】
外蓋体１３は、使用時まで容器内外の空間を遮断する役割を果たすものであり、使用時には、取り外すように構成されている。
図１では、外蓋体１３にも、ねじ１３０ａが設けられ、中蓋体１２にねじ込むように構成されているが、中蓋体と同様に、ねじ１３０ａは設けず、中蓋体１２に爪受け構造を形成し、外蓋体１３に浅い爪を形成し嵌め込むようにしてもよい。
【００４６】
容器本体１１と中蓋体１２と外蓋体１３とは、ポリエチレン、ポリプロピレン、ＰＥＴ等のプラスチックからなるが、特に、外蓋体１３は、嵌め込む形式のものが好ましく、そのためには、硬質部材が好ましい。
なお、外蓋体１３は、フィルム状部材により構成され、使用時にはがすことが可能な接着剤により中蓋体１２に接着されていてもよい。
【００４７】
図３は、本発明のカートリッジ洗浄剤の一実施例を模式的に示す概念図である。
この実施例では、洗浄剤組成物２０は、容器本体１１の形状で固化した固形体であり、一方、洗浄性強化剤２１は、粉状体からなり、粉状体からなる洗浄性強化剤２１は、中蓋体１２の内部に載置されており、カバー部１４により中蓋体１２の外に飛散しない構成となっている。なお、洗浄性強化剤２１は、粉状体であるので、底部１２ｂに設けられた開口部１２ａから飛散しないよう、開口部１２ａにも目の細かい網状部材が設けられている。
図３に示すカートリッジ洗浄剤１０では、洗浄剤組成物２０と洗浄性強化剤２１とは、カバー部１４で分離されており、水に溶解した洗浄性強化剤２１と洗浄剤組成物２０とを良好に洗浄剤溶液中に供給することができる。なお、図３では、わかりにくいが、洗浄剤組成物２０は、当然、円筒部材１２ｄの内部には、収容されていない。図４〜図６のカートリッジ洗浄剤でも同様である。
【００４８】
図４は、本発明のカートリッジ洗浄剤の別の実施例を模式的に示す概念図である。
この実施例では、洗浄剤組成物２２は、粒状体であり、一方、洗浄性強化剤２３は、所定形状に成形された固形体からなり、固形体からなる洗浄性強化剤２３は、中蓋体１２の内部に載置されており、カバー部１４によりその内部に保持されている。
図４に示すカートリッジ洗浄剤１５でも、洗浄剤組成物２２と洗浄性強化剤２３とは、カバー部１４で分離されており、直接接触することはない。
【００４９】
図５は、本発明のカートリッジ洗浄剤のさらに別の実施例を模式的に示す概念図である。
この実施例では、洗浄剤組成物２２及び洗浄性強化剤２４は、ともに粒状体であるが、粒状体からなる洗浄性強化剤２４は、中蓋体１２の内部に載置されており、カバー部１４によりその内部に保持されている。図５に示すカートリッジ洗浄剤１６でも、洗浄剤組成物２２と洗浄性強化剤２４とはカバー部１４により分離されており、直接接触することはない。
【００５０】
図６は、本発明のカートリッジ洗浄剤のさらに別の実施例を模式的に示す概念図である。
この実施例では、洗浄剤組成物２２は、粒状体であり、一方、洗浄性強化剤２１は、粉状体であり、粉状体からなる洗浄性強化剤２１は、中蓋体１２の内部に載置されており、カバー部１４によりその内部に保持されている。図６に示すカートリッジ洗浄剤１７でも、洗浄剤組成物２２と洗浄性強化剤２１とはカバー部１４により分離されており、直接接触することはない。
このように、洗浄性強化剤と洗浄剤組成物とは、中蓋体を構成するカバー部により分離されており、洗浄性強化剤と洗浄剤組成物とが直接接触することはない。
【００５１】
図７（ａ）は、本発明のカートリッジ洗浄剤を構成する中蓋体の別の実施例を模式的に示す概念図であり、図７（ｂ）は、図７（ａ）に示す中蓋体に固形体の洗浄性強化剤を収容した状態を模式的に示す概念図であり、図７（ｃ）は、図７（ａ）に示す中蓋体の裏面に外蓋体としてのフィルム部材を接着した状態を模式的に示す概念図である。
【００５２】
図７（ａ）に示す中蓋体３２は、有底円筒形状であり、底部３２ｂには、噴射水を通過させるための円筒部材３２ｄと、洗浄剤組成物２０（図８参照）及び洗浄性強化剤２３（図７（ｂ）参照）が溶解した洗浄液を通過させるための開口部３２ａが設けられており、中蓋体３２の円筒部分３２ｃの内壁には、容器本体１１の筒部材１１ａにねじ込むためのねじ３２０ａが設けられている。
開口部３２ａ及び底部３２ｂを含む、洗浄性強化剤を載置するための部分が中蓋体３２における載置部である。
底部３２ｂは網目形状となっており、多数の開口部３２ａが形成されている。底部３２ｂが網目形状であり多数の開口部３２ａが形成されていると、洗浄剤溶液が中蓋体の底部を通過しやすく、均一に排出されるという利点がある。
【００５３】
また、この中蓋体３２には、さらに内筒３２ｅが設けられており、内筒３２ｅの内部に洗浄性強化剤２３を収容できるように構成されている（図７（ｂ）参照）。
この中蓋体３２に収容する洗浄性強化剤としては、底部３２ｂの網目形状の開口部３２ａから落下することのない大きさの固形体の洗浄性強化剤２３であることが望ましい。
また、中蓋体３２の内筒３２ｅ内には、固形体の洗浄性強化剤２３の移動を規制するための区画部材３２ｆが複数箇所に設けられていて、内筒３２ｅ内の空間が区画されている。区画部材３２ｆの間隔は、区画部材３２ｆの間に固形体の洗浄性強化剤が入るように定めることが望ましい。このように固形体の洗浄性強化剤２３の移動を規制することにより、各洗浄性強化剤を均一に溶解させることができる。
【００５４】
また、区画部材３２ｆによる区画は、内筒３２ｅ内の空間を完全に区画するのではなく、緩く区画することが望ましい。「緩く」というのは、区画部材３２ｆにより固形体の洗浄性強化剤２３の移動が規制される程度に内筒３２ｅ内の空間が区画されている一方、区画部材３２ｆと内筒３２ｅの内壁の間、及び／又は、区画部材３２ｆと円筒部材３２ｄの外壁の間に空間を設けて、水や洗浄液等の液体が内筒３２ｅの間で自由に移動できる状態のことを意味する。このような状態であると、水、洗浄液等の液体が特定の部位に噴射されたとしても、液体が内筒３２ｅの中で偏ることがないので、特定の洗浄性強化剤２３のみが溶解することが防止される。
【００５５】
また、図７（ｂ）に示すように、洗浄性強化剤２３を内筒３２ｅの内部に収容した状態で保持するために円環形状のカバー部３４が設けられている。
カバー部３４の役割は図２に示すカバー部１４と同様であるが、図７（ｂ）にはカバー部の形態として開口部３４ａの形状が異なるカバー部を示している。また、カバー部３４には図２に示すカバー部１４の支持部材に相当する部位は存在していない。
また、図示していないが、円筒部材３２ｄの上面に段付きを設け、段付きとカバー部３４の中央の貫通孔３４ｃがかみ合うようにしてカバー部３４の位置ずれを防止するようにしてもよい。
また、中蓋体３２に設けていた区画部材３２ｆに代えてカバー部３４の中蓋体側になる面に区画部材を設けて、カバー部３４を被せた際に内筒３２ｅ内の空間を区画できるようにしてもよい。
【００５６】
図７（ｃ）には図７（ａ）に示す中蓋体３２の裏面に外蓋体としてのフィルム部材３３を接着した状態を示している。
フィルム部材３３は、カートリッジ洗浄剤の使用時に剥がすことが可能な接着剤により中蓋体３２に接着されていてもよい。フィルム部材３３は、接着剤が塗布されていない突出部３３ａを手で掴んで剥がすことができる。また、フィルム部材を水溶性フィルムとしておき、水が触れることによってフィルム部材が溶解してなくなるようにしておいてもよい。
【００５７】
図８は、本発明のカートリッジ洗浄剤のさらに別の実施例を模式的に示す概念図である。
図８に示すカートリッジ洗浄剤１８は、図３に示すカートリッジ洗浄剤において中蓋体及びカバー部として図７（ｂ）に示す中蓋体３２及びカバー部３４を使用し、固形体の洗浄性強化剤２３を中蓋体３２の内部に載置している。また、中蓋体３２の裏面には外蓋体としてのフィルム部材３３を接着している。
この実施形態でも洗浄性強化剤と洗浄剤組成物とは、中蓋体を構成するカバー部により分離されており、洗浄性強化剤と洗浄剤組成物とが直接接触することはない。また、外蓋体としてのフィルム部材により、使用時まで容器内外の空間が遮断されている。
【００５８】
本発明のカートリッジ洗浄剤を用いて、洗浄工程の初期段階で特殊な組成の洗浄剤溶液を供給することができる様子を、図面を使用して説明する。
図９（ａ）〜（ｃ）は、本発明のカートリッジ洗浄剤に水を噴射した際に得られる洗浄剤溶液を模式的に示す断面図である。
カートリッジ洗浄剤は図８に示す形態のカートリッジ洗浄剤１８とする。
【００５９】
図９（ａ）はカートリッジ洗浄剤を自動食器洗浄機に設置した直後、すなわち、洗浄工程の初期段階での様子を模式的に示している。
カートリッジ洗浄剤を使用する際には、噴射水６０が円筒部材３２ｄの間の空間を通過して、容器本体に収容された洗浄剤組成物２０に到達し、洗浄剤組成物２０が溶解した洗浄剤溶液６１が生成する。
洗浄剤溶液６１はカバー部３４の開口部３４ａから中蓋体３２の中に入り、洗浄性強化剤２３を溶解させて、洗浄剤組成物と洗浄性強化剤を含む洗浄剤溶液６２が生成する。
この洗浄剤溶液６２が中蓋体３２底部の開口部３２ａから下に落ちて自動食器洗浄機の洗浄タンク内へ流れ、洗浄工程の初期段階において、洗浄性強化剤を多量に含む、特殊な組成の洗浄剤溶液が自動食器洗浄機に導入される。
【００６０】
図９（ｂ）は図９（ａ）に示す段階からしばらく経った段階での様子を模式的に示している。噴射水６０の噴射に伴い、洗浄剤組成物２０と洗浄性強化剤２３は溶解していきその量は減っていく。洗浄性強化剤の量が少なくなるにつれ、最終的に得られる洗浄剤溶液に含まれる洗浄性強化剤の量は少なくなる。図９（ｂ）では洗浄剤溶液６３のハッチングを図９（ａ）に示す洗浄剤溶液６２のハッチングより薄くすることで洗浄剤溶液に含まれる洗浄性強化剤の量の違いを模式的に示している。
【００６１】
図９（ｃ）は、洗浄性強化剤がすべて溶解して消費されたあとの様子を模式的に示している。噴射水６０の噴射に伴い、洗浄剤組成物２０が溶解した洗浄剤溶液６１が生成する。そして、この洗浄剤溶液６１がそのまま最終的に得られる洗浄剤溶液として自動食器洗浄機の洗浄タンク内へ流れる。すなわち、洗浄工程の初期段階の後においては、洗浄性強化剤を含まない通常の組成の洗浄剤溶液が自動食器洗浄機に導入される。
【００６２】
本発明のカートリッジ洗浄剤において、洗浄剤組成物と洗浄性強化剤には同じ成分が含まれていてもよい。同じ成分が含まれている場合は、洗浄工程の初期段階ではその成分の濃度を高くして、初期段階終了後にはその成分の濃度を初期段階よりも低くして洗浄を行うことができる。そのような濃度変化をつけることが有効な洗浄対象物に対しては、本発明のカートリッジ洗浄剤は特に好適に使用できる。
【００６３】
また、洗浄剤組成物と洗浄性強化剤には、一般的な洗浄剤組成物の調製に用いられる無機塩類、賦形剤、滑剤、結合助剤等を、特性に支障のない範囲で配合してもよい。これらの成分の例としては、無水硫酸ナトリウム、硫酸ナトリウム・１０水和物（芒硝）、硫酸カリウム、ステアリン酸マグネシウム、ポリエチレングリコール、二酸化ケイ素（シリカ）等が挙げられる。
【００６４】
洗浄剤組成物と洗浄性強化剤との合計量に対する洗浄性強化剤の割合は、０．１〜３０質量％であることが望ましく、０．５〜１０質量％であることがより望ましい。
洗浄性強化剤の割合が相対的に少なくなるようにすることで、洗浄工程における初期段階において洗浄性強化剤を自動食器洗浄機内に供給することができる。
【００６５】
洗浄剤組成物を製造する際には、まず、水及び水以外の洗浄剤組成物の原料を撹拌混合し、スラリー液を調製した後、上記スラリー液をカートリッジ洗浄剤を構成する容器本体に投入し、冷却して固化させる。
【００６６】
具体的には、まず、水に水以外の洗浄剤組成物の原料を加えた後、３０〜９０℃に維持し、攪拌することにより、水及び洗浄剤組成物を含むスラリー液を調製する。
水以外の洗浄剤組成物の原料の投入量は、上記スラリー液の全量に対して５０〜９５質量％が望ましい。これにより、洗浄力が充分に高い洗浄剤組成物が得られる。
【００６７】
次に、上記スラリー液を容器本体に投入し、その後、上記スラリー液を常温で１〜２４時間放置して固化させ、容器本体の形状に固化された固形体からなる洗浄剤組成物を製造する。上記スラリーを別の所定形状の容器に投入して固化させれば、その容器の形状の固形体となる。
粒状体からなる洗浄剤組成物を作製する際には、洗浄剤組成物の原料としてアルカリ金属水酸化物(水酸化ナトリウム等）、炭酸塩（炭酸ナトリウム等）、ケイ酸アルカリ金属塩(メタケイ酸ナトリウム等）、キレート剤等の粒状原料を混合すればよい。また、少量の液体原料を用いてもよい。混合にはリボンミキサー、ナウタ―ミキサー、ドラムミキサーが好適に用いられる。
また、粉状体からなる洗浄剤組成物を作製する際には、洗浄剤組成物の原料としてアルカリ金属水酸化物(水酸化ナトリウム等）、炭酸塩（炭酸ナトリウム等）、ケイ酸アルカリ金属塩(メタケイ酸ナトリウム等）、キレート剤等の粉状原料を混合すればよい。また、少量の液体原料を用いてもよい。混合にはリボンミキサー、ナウタ―ミキサー、ドラムミキサーが好適に用いられる。
上記のようにして作製した所定形状に成形された固形体、粒状体又は粉状体からなる洗浄剤組成物を容器本体に収容する。
【００６８】
本発明のカートリッジ洗浄剤において、洗浄性強化剤としては、所定形状に成形された固形体、粒状体又は粉状体からなるものを準備する。そして、洗浄性強化剤を中蓋体の内部に収容し、カバー部を設けた後、容器本体と中蓋体と外蓋体とを組み合わせることにより本発明のカートリッジ洗浄剤を製造することができる。
【００６９】
（処方例）
以下に、本発明に係るカートリッジ洗浄剤の好ましい処方例を示す。
なお、下記処方例中には水を記載していないが、水を使用する場合は、バランスとして使用する芒硝を減らすか、各処方例の各成分の組成比を保った状態で水を使用することが好ましい。
水を使用する場合、原料に含まれる各成分に含まれる結晶水と使用する水の合計量が、洗浄剤組成物又は洗浄性強化剤の１０〜４０重量％程度となるように水を使用することが好ましい。
また、下記処方例における洗浄剤組成物、洗浄性強化剤の剤形は限定されるものではなく、固形体、粒状体又は粉状体のいずれかとすることができる。
【００７０】
下記処方例中の以下の成分の詳細は以下のとおりである。
ポリアクリル酸ナトリウム：ソカランＰＡ２５ＣＬＧ  ＢＡＳＦジャパン（株）製
過炭酸ナトリウム：過炭酸ソーダＣＰＣ−Ｂ  （株）アデカ製
プルロニック型界面活性剤：プルロニックＰＥ１０１００  ＢＡＳＦジャパン（株）製の非イオン性界面活性剤
ＴＡＥＤ（テトラアセチルエチレンジアミン）：パーアクティブＡＮ  クラリアント（株）製
α−アミラーゼ：ステインザイム１２Ｔ  ノボザイムスジャパン（株）製
アルキルイミダゾリン：テクスノールＩＬ１５  日本乳化剤（株）製
ペルオキソ一硫酸水素カリウム製剤：ルビスタパウダー  キョーリンメディカルサプライ（株）製
二酸化ケイ素：ＮＩＰＳＩＬ  ＮＳ−Ｋ  東ソーシリカ（株）製
【００７１】
（洗浄剤組成物の処方例）
本発明に係るカートリッジ洗浄剤の洗浄剤組成物の処方例としては、下記処方が挙げられる。
【表１】
2017008267.tif 000003
【００７２】
（洗浄性強化剤の処方例）
本発明に係るカートリッジ洗浄剤の洗浄性強化剤の処方例としては、下記処方が挙げられる。
（洗浄性強化剤の処方例１：洗浄性強化剤が酵素を含む例）
【表２】
2017008267.tif 000004
本例において、洗浄剤組成物と洗浄性強化剤との合計量に対する洗浄性強化剤の割合は、０．５〜５質量％であることが望ましい。
【００７３】
（洗浄性強化剤の処方例２：洗浄性強化剤がキレート剤を含む例）
【表３】
2017008267.tif 000005
本例において、洗浄剤組成物と洗浄性強化剤との合計量に対する洗浄性強化剤の割合は、１０〜３０質量％であることが望ましい。
【００７４】
（洗浄性強化剤の処方例３：洗浄性強化剤が酸素系漂白剤を含む例）
【表４】
2017008267.tif 000006
本例において、洗浄剤組成物と洗浄性強化剤との合計量に対する洗浄性強化剤の割合は、２〜５質量％であることが望ましい。
【００７５】
（洗浄性強化剤の処方例４：洗浄性強化剤が漂白活性化剤を含む例）
【表５】
2017008267.tif 000007
本例において、洗浄剤組成物と洗浄性強化剤との合計量に対する洗浄性強化剤の割合は、０．１〜３質量％であることが望ましい。
【００７６】
（洗浄性強化剤の処方例５：洗浄性強化剤が除菌剤を含む例）
【表６】
2017008267.tif 000008
本例において、洗浄剤組成物と洗浄性強化剤との合計量に対する洗浄性強化剤の割合は、５〜１０質量％であることが望ましい。
【００７７】
（洗浄性強化剤の処方例６：洗浄性強化剤がペルオキソ一硫酸水素カリウム製剤を含む例）
【表７】
2017008267.tif 000009
本例において、洗浄剤組成物と洗浄性強化剤との合計量に対する洗浄性強化剤の割合は、３〜１０質量％であることが望ましい。
【００７８】
（洗浄性強化剤の処方例７：洗浄性強化剤が高分子分散剤を含む例）
【表８】
2017008267.tif 000010
本例において、洗浄剤組成物と洗浄性強化剤との合計量に対する洗浄性強化剤の割合は、４〜１５質量％であることが望ましい。
【００７９】
（洗浄性強化剤の処方例８：洗浄性強化剤が界面活性剤を含む例）
【表９】
2017008267.tif 000011
本例において、洗浄剤組成物と洗浄性強化剤との合計量に対する洗浄性強化剤の割合は、３〜１０質量％であることが望ましい。
【００８０】
上記処方例においては、洗浄剤組成物と洗浄性強化剤をそれぞれカートリッジ洗浄剤に収容させて、カートリッジ洗浄剤内に水を噴射していった際に、中蓋体内の洗浄性強化剤が先に全て消費されるように、カートリッジ洗浄剤の中蓋体内に収容させる洗浄性強化剤の量を調整しておくことが好ましい。
【符号の説明】
【００８１】
１０、１５、１６、１７、１８  カートリッジ洗浄剤
１１  容器本体
１１ａ  筒部材
１２、３２  中蓋体
１２ａ、３２ａ  開口部
１２ｂ、３２ｂ  底部
１２ｃ、３２ｃ  円筒部分
１２ｄ、３２ｄ  円筒部材
１２ｅ、３２ｅ  内筒
１３  外蓋体
１４、３４  カバー部
１４ａ  網状または板状で開口部を有する部材
１４ｂ  支持部材
２０、２２  洗浄剤組成物
２１、２３、２４  洗浄性強化剤
３２ｆ  区画部材
３３  フィルム部材
３３ａ  フィルム部材の突出部
３４ａ  カバー部の開口部
３４ｃ  カバー部中央の貫通孔
６０  噴射水
６１、６２、６３  洗浄剤溶液
１１０ａ、１２０ａ、１３０ａ、３２０ａ  ねじ
【図１】
2017008267.tif 000012
【図２】
2017008267.tif 000013
【図３】
2017008267.tif 000014
【図４】
2017008267.tif 000015
【図５】
2017008267.tif 000016
【図６】
2017008267.tif 000017
【図７】
2017008267.tif 000018
【図８】
2017008267.tif 000019
【図９】
2017008267.tif 000020